(57)【要約】【課題】保管や搬送などの取り扱いが容易なＭＦＤ変換アダプタを提供する。【解決手段】一端側にプラグ部１ｐを有し他端側にレセプタクル部１ｒを有するハウジング１と、プラグ部１ｐからレセプタクル部１ｒに渡って貫通するフェルール２と、フェルール２に挿入されたＭＦＤ変換光ファイバ１０とを具備する。ＭＦＤ変換光ファイバ１０は、モードフィールド径１０.５μｍの光ファイバとモードフィールド径６.５μｍの光ファイバとを融着し、接続部を熱処理してモードフィールド径の変化を滑らかにしたものである。【効果】ＭＦＤ変換光ファイバをフェルール中に挿入したため、保管時や運搬時などにＭＦＤ変換光ファイバが折れることはない。２つのコネクタ部がハウジングで一体化されており、全体として小型になる。よって、保管時や運搬時などの取り扱いが容易になる。【選択図】図１
2006030366.tif 000002
【特許請求の範囲】
【請求項１】
一端面におけるモードフィールド径と他端面におけるモードフィールド径とが異なり且つモードフィールド径の変化が滑らかであるＭＦＤ変換光ファイバと、一端側に第１コネクタ部を有し他端側に第２コネクタ部を有するハウジングと、前記第１コネクタ部から前記第２コネクタ部に渡って貫通すると共に前記ＭＦＤ変換光ファイバが挿入されたフェルールとを具備したことを特徴とするＭＦＤ変換アダプタ。
【発明の詳細な説明】
【技術分野】
【０００１】
本発明は、ＭＦＤ変換アダプタに関し、さらに詳しくは、保管や搬送などの取り扱いが容易なＭＦＤ変換アダプタに関する。
【背景技術】
【０００２】
従来、接続損失を小さくするために、一端面におけるモードフィールド径と他端面におけるモードフィールド径とが異なり且つモードフィールド径の変化が滑らかなＭＦＤ変換光ファイバを介在させて、モードフィールド径の異なる光ファイバを接続する技術が知られている（例えば、特許文献１、２参照。）。
【特許文献１】特開２００３−３１５６００号公報
【特許文献２】特開２００３−３０２５３９号公報
【発明の開示】
【発明が解決しようとする課題】
【０００３】
例えば屋外のモードフィールド径の大きな光ファイバと屋内のモードフィールド径の小さな光ファイバとをＭＦＤ変換光ファイバを介して接続する場合、熱処理により融着させて接続する工事を現場で行のは、設備・時間・技術者が必要になり、困難性がある。そこで、ＭＦＤ変換光ファイバの両端にコネクタを設けておき、コネクタ接続するならば、現場での工事が容易になる。
しかし、ＭＦＤ変換光ファイバでモードフィールド径の変化を滑らかにするために熱処理している部分は曲げられないので、ＭＦＤ変換光ファイバの両端にコネクタを設けた物は、保管時や運搬時などにＭＦＤ変換光ファイバが折れないように注意する必要があり、取り扱いが面倒になる問題点があった。
そこで、本発明の目的は、保管や搬送などの取り扱いが容易なＭＦＤ変換アダプタを提供することにある。
【課題を解決するための手段】
【０００４】
第１の観点では、本発明は、一端面におけるモードフィールド径と他端面におけるモードフィールド径とが異なり且つモードフィールド径の変化が滑らかであるＭＦＤ変換光ファイバと、一端側に第１コネクタ部を有し他端側に第２コネクタ部を有するハウジングと、前記第１コネクタ部から前記第２コネクタ部に渡って貫通すると共に前記ＭＦＤ変換光ファイバが挿入されたフェルールとを具備したことを特徴とするＭＦＤ変換アダプタを提供する。
上記第１の観点によるＭＦＤ変換アダプタでは、例えば屋外のモードフィールド径の大きな光ファイバと屋内のモードフィールド径の小さな光ファイバとを現場で簡単な工事で接続できる。そして、ＭＦＤ変換光ファイバをフェルール中に挿入してしまったため、保管時や運搬時などにＭＦＤ変換光ファイバが折れることはなく、取り扱いが容易になる。また、２つのコネクタ部がハウジングで一体化されており、全体として小型になるため、この点でも保管時や運搬時などの取り扱いが容易になる。
【発明の効果】
【０００５】
本発明のＭＦＤ変換アダプタによれば、例えば屋外のモードフィールド径の大きな光ファイバと屋内のモードフィールド径の小さな光ファイバとを現場で簡単な工事で接続できる。そして、ＭＦＤ変換アダプタの保管や搬送などの取り扱いが容易になる。
【発明を実施するための最良の形態】
【０００６】
以下、図に示す実施例により本発明をさらに詳細に説明する。なお、これにより本発明が限定されるものではない。
【実施例１】
【０００７】
図１は、実施例１に係るＳＣ型のＭＦＤ変換アダプタ１００を示す一部破断正面図である。図２は、同左側面図である。図３は、同上面図である。
このＭＦＤ変換アダプタ１００は、一端側にプラグ部１ｐを有し他端側にレセプタクル部１ｒを有するハウジング１と、プラグ部１ｐからレセプタクル部１ｒに渡って貫通するフェルール２と、フェルール２に挿入されたＭＦＤ変換光ファイバ１０とを具備してなる。
【０００８】
図４は、ＭＦＤ変換光ファイバ１０の断面図である。
このＭＦＤ変換光ファイバ１０は、モードフィールド径ＭＦＤ＝１０.５μｍの光ファイバ１１とモードフィールド径ＭＦＤ＝６.５μｍの光ファイバ１２とを融着し、接続部１３を熱処理してモードフィールド径の変化を滑らかにしたものである。
【０００９】
−製造例−
（１）波長１５５０ｎｍにおけるモードフィールド径ＭＦＤ＝１０.５μｍの光ファイバ１１とモードフィールド径ＭＦＤ＝６.５μｍの光ファイバ１２とを融着し、接続部１３を熱処理してモードフィールド径の変化を滑らかにしたＭＦＤ変換光ファイバ１０を作製した。
（２）このＭＦＤ変換光ファイバ１０をフェルール２に挿入し、接着し、接着剤硬化後、フェルール２の端面を研磨した。
（３）フェルール２をハウジング１に組み入れ、ＭＦＤ変換アダプタ１００とした。
（４）図５の（ａ）に示すように、ＬＤ光源Ｓと光パワーメータＭとをコネクタ付き光コードＣ１（ＭＦＤ＝１０.５μｍ）で接続し、光パワーメータＭで光強度Ｐ０を測定する。次に、図５の（ｂ）に示すように、ＬＤ光源ＳとＭＦＤ変換アダプタ１００のプラグ部１ｐ（ＭＦＤ変換光ファイバ１０のモードフィールド径ＭＦＤ＝１０.５μｍ側）とをコネクタ付き光コードＣ１（ＭＦＤ＝１０.５μｍ）で接続すると共にＭＦＤ変換アダプタ１００のレセプタクル部１ｒ（ＭＦＤ変換光ファイバ１０のモードフィールド径ＭＦＤ＝６.５μｍ側）と光パワーメータＭとをコネクタ付き光コードＣ２（ＭＦＤ＝６.５μｍ）で接続し、光強度Ｐ１を測定する。そして、ＭＦＤ変換アダプタ１００の損失Ｌ＝−１０・log（Ｐ１／Ｐ０）を求めたところ、波長１５５０ｎｍにおける光損失Ｌは０.２１ｄＢであった。比較のために、図５の（ｃ）に示すように、ＭＦＤ変換アダプタ１００を外してコネクタ付き光コードＣ１（ＭＦＤ＝１０.５μｍ）とコネクタ付き光コードＣ２（ＭＦＤ＝６.５μｍ）とを直接接続し、光強度Ｐ２を測定し、損失Ｌ＝−１０・log（Ｐ２／Ｐ０）を求めたところ、波長１５５０ｎｍにおける光損失Ｌは約１ｄＢであった。
【実施例２】
【００１０】
図６に示すように、モードフィールド径ＭＦＤ＝６.５μｍの光ファイバ１２の一部を熱処理して拡径部１２ａを作り、その拡径部１２ａで切断したＭＦＤ変換光ファイバ１０を用いてもよい。
【００１１】
−製造例−
（１）波長１５５０ｎｍにおけるモードフィールド径ＭＦＤ＝６.５μｍの光ファイバ１２の一部を熱処理して拡径部１２ａを作り、その拡径部１２ａで切断してＭＦＤ変換光ファイバ１０を作製した。切断面でのモードフィールド径ＭＦＤ＝１０.２μｍとした。
（２）このＭＦＤ変換光ファイバ１０をフェルール２に挿入し、接着し、接着剤硬化後、フェルール２の端面を研磨した。
（３）フェルール２をハウジング１に組み入れ、ＭＦＤ変換アダプタ１００とした。
（４）実施例１と同様にＭＦＤ変換アダプタ１００の損失Ｌ＝−１０・log（Ｐ１／Ｐ０）を求めたところ、波長１５５０ｎｍにおける光損失Ｌは０.２８ｄＢであった。
【実施例３】
【００１２】
ＳＣ型に限定されず、例えばＦＣ型であってもよい。
【実施例４】
【００１３】
ハウジング１の両側をプラグ１ｐとしたり、両側をレセプタクル１ｒとしてもよい。
【産業上の利用可能性】
【００１４】
本発明のＭＦＤ変換アダプタは、例えば屋外のモードフィールド径の大きな光ファイバと屋内のモードフィールド径の小さな光ファイバとを接続するのに利用できる。
【図面の簡単な説明】
【００１５】
【図１】実施例１に係るＭＦＤ変換アダプタを示す正面図である。
【図２】実施例１に係るＭＦＤ変換アダプタを示す左側面図である。
【図３】実施例１に係るＭＦＤ変換アダプタを示す上面図である。
【図４】実施例１に係るＭＦＤ変換光ファイバを示す断面図である。
【図５】実施例１に係るＭＦＤ変換アダプタの損失を計測する状態の説明図である。
【図６】実施例２に係るＭＦＤ変換光ファイバを示す断面図である。
【符号の説明】
【００１６】
１              ハウジング
１ｐ            プラグ部
１ｒ            レセプタクル部
２              フェルール
１０            ＭＦＤ変換光ファイバ
１１，１２      光ファイバ
１２ａ          拡径部
１３            接続部
１００          ＭＦＤ変換アダプタ
【図１】
2006030366.tif 000003
【図２】
2006030366.tif 000004
【図３】
2006030366.tif 000005
【図４】
2006030366.tif 000006
【図５】
2006030366.tif 000007
【図６】
2006030366.tif 000008